(57)【要約】【課題】印刷物の文字部に特化して検査を行い、異常があれば、自動的に印刷プロセスのパラメータを調整して、正常に戻すようにする。【解決手段】検査画像取得部２１３は、印刷用紙（印刷物）を読み取って検査画像データを取得する。マスター画像データ２１１は、印刷物の元データからマスター画像データを生成する。検査制御部２１４は、マスター画像データと検査画像データの文字領域を抽出して、両者の差分データ（差分画像データ）を生成し、該差分データをもとに印刷物の文字の異常状態（文字太り、文字細り等）を検査し、異常状態に応じて印刷装置１０１側に制御情報を送って、印刷プロセスのパラメータを調整するようにする【選択図】図２
2015052886.tif 000002
【特許請求の範囲】
【請求項１】
印刷装置で印刷された印刷物の検査を行う印刷物検査装置であって、
前記印刷物を読み取って検査画像データとして取得する検査画像取得手段と、
前記印刷物の元データからマスター画像データを生成するマスター画像生成手段と、
前記マスター画像データと前記検査画像データの文字領域を抽出する文字領域抽出手段と、
前記マスター画像データと前記検査画像データの文字領域の差分データを生成し、前記差分データをもとに印刷物の文字の異常状態を検査する検査手段と、
前記印刷物の文字の異常状態に応じて前記印刷装置の印刷プロセスのパラメータを調整する調整手段と、
を有することを特徴とする印刷物検査装置。
【請求項２】
前記文字領域抽出手段は、前記マスター画像データの文字領域を抽出し、前記検査画像データから前記マスター画像データの文字領域に対応する領域を抽出して検査画像データの文字領域とする、
ことを特徴とする請求項１に記載の印刷物検査装置。
【請求項３】
前記検査手段は、前記差分データをもとに、前記印刷物の文字の文字太り、文字細りを検査し、
前記調整手段は、前記文字太りの場合には、文字領域の露光強度を他の領域に比べて弱くし、前記文字細りの場合には、文字領域の露光強度を他の領域に比べて強くする、
ことを特徴とする請求項１又は２に記載の印刷物検査装置。
【請求項４】
前記検査手段は、前記差分データをもとに、前記印刷物の文字の文字太り、文字細りを検査し、
前記調整手段は、前記文字太りの場合には、文字領域の文字エッジの露光強度を文字中の露光強度に比べて弱くし、前記文字細りの場合には、文字領域の文字エッジの露光強度を文字中の露光強度に比べて強くする、
ことを特徴とする請求項１又は２に記載の印刷物検査装置。
【請求項５】
前記検査手段は、前記差分データをもとに、前記印刷物の文字の文字太り、文字細りを検査し、
前記調整手段は、前記文字太りの場合には、文字領域の露光時間を他の領域に比べて短くし、前記文字細りの場合には、文字領域の露光時間を他の領域に比べて長くする、
ことを特徴とする請求項１又は２に記載の印刷物検査装置。
【請求項６】
前記検査手段は、前記差分データをもとに、前記印刷物の文字の文字太り、文字細りを検査し、
前記調整手段は、前記文字太りの場合には、文字領域の文字エッジの露光時間を文字中の露光時間に比べて短くし、前記文字細りの場合には、文字領域の文字エッジの露光時間を文字中の露光時間に比べて長くする、
ことを特徴とする請求項１又は２に記載の印刷物検査装置。
【請求項７】
前記文字領域が小文字領域か否か判定する手段を更に有し、
前記検査手段は、前記文字領域が小文字領域である場合に、前記マスター画像データと前記検査画像データの文字領域（小文字領域）の差分データを生成し、前記差分データをもとに印刷物の文字の異常状態を検査する、
ことを特徴とする請求項１乃至６のいずれか１項に記載の印刷物検査装置。
【請求項８】
印刷装置で印刷された印刷物の検査を行う印刷物検査方法であって、
前記印刷物を読み取って検査画像データとして取得する検査画像取得工程と、
前記印刷物の元データからマスター画像データを生成するマスター画像生成工程と、
前記マスター画像データと前記検査画像データの文字領域を抽出する文字領域抽出工程と、
前記マスター画像データと前記検査画像データの文字領域の差分データを生成し、前記差分データをもとに印刷物の文字の異常状態を検査する検査工程と、
前記印刷物の文字の異常状態に応じて前記印刷装置の印刷プロセスのパラメータを調整する調整工程と、
を有することを特徴とする印刷物検査方法。
【発明の詳細な説明】
【技術分野】
【０００１】
本発明は、印刷物の印刷品質を検査する印刷物検査装置及び印刷物検査方法に関する。
【背景技術】
【０００２】
従来から、印刷の後処理として、印刷装置から出力される印刷用紙（印刷物）をカメラやラインセンサ等で読取り、印刷が正常に行われているか検査する印刷物検査装置が知られている。このような印刷物検査装置では、一般に印刷物を読み取って得られる検査画像と該印刷物の元データから生成したマスター画像とを比較し、その差分の程度により印刷物が正常か否か判別している。
【０００３】
ところで、検査画像の文字部は、画像処理により、文字縁を文字中より濃くして文字の鮮鋭性を高くする手法を用いることが多い。これにより、特に小ポイント文字は、定着等で文字が太るか文字のつぶれが起こり、判読不可能になることがある。また、印刷プロセス（帯電・露光・現像・転写・定着）の過程で、狙いの文字の太さよりも細くなってしまう場合もあり、これにより特に斜め文字のかすれが生じる可能性がある。このような場合、印刷プロセスのパラメータを調整して文字の太さを調整する必要がある。
【０００４】
しかしながら、従来の印刷物検査装置では、検査画像とマスター画像を比較し、異常と判断した場合には印刷を中止する方法が一般的である（例えば、特許文献１）。このため、１万部単位等の大量印刷などの場合には、印刷機のそばで常に人が監視していて、異常があると、その都度、原因を解析し、文字に異常のあった場合、印刷プロセスのパラメータを手動で調節する必要があった。
【発明の概要】
【発明が解決しようとする課題】
【０００５】
本発明は、印刷物の印刷品質を検査する印刷物検査装置において、印刷物の文字部を検査し、異常があれば、自動的に印刷プロセスのパラメータを調整できるようにすることにある。
【課題を解決するための手段】
【０００６】
本発明は、印刷装置で印刷された印刷物の検査を行う印刷物検査装置であって、前記印刷物を読み取って検査画像データとして取得する検査画像取得手段と、前記印刷物の元データからマスター画像データを生成するマスター画像生成手段と、前記マスター画像データと前記検査画像データの文字領域を抽出する文字領域抽出手段と、前記マスター画像データと前記検査画像データの文字領域の差分データを生成し、前記差分データをもとに印刷物の文字の異常状態を検査する検査手段と、前記印刷物の文字の異常状態に応じて前記印刷装置の印刷プロセスのパラメータを調整する調整手段とを有することを主要な特徴とする。
【発明の効果】
【０００７】
本発明によれば、印刷物の文字部に特化して検査を行い、異常があれば、自動的に正常に戻すことが可能になる。
【図面の簡単な説明】
【０００８】
【図１】印刷物検査装置（検査装置）を具備する印刷システムの概略構成図である。
【図２】印刷装置と検査装置の処理系の一実施形態に係るブロック図である。
【図３】マスター画像生成部の詳細ブロック図である。
【図４】画像形成部の詳細構成図である。
【図５】文字部の露光を説明する図である。
【図６】実施例１の露光位置と露光強度の関係を示す図である。
【図７】実施例１の具体的処理イメージを示す図である。
【図８】検査制御部の実施例１の動作を説明するフローチャートである。
【図９】文字領域抽出の詳細フローチャートである。
【図１０】文字領域抽出の処理イメージを示す図である。
【図１１】補正テーブルを示す図である。
【図１２】検査制御部の実施例２の動作を説明するフローチャートである。
【図１３】実施例３の露光位置と露光強度の関係を示す図である。
【図１４】検査制御部の実施例３の動作を説明するフローチャートである。
【図１５】検査制御部の実施例４の動作を説明するフローチャートである。
【図１６】検査制御部の実施例５の動作を説明するフローチャートである。
【図１７】小文字領域判定の詳細フローチャートである。
【図１８】小文字領域判定の処理イメージを示す図である。
【発明を実施するための形態】
【０００９】
以下、本発明の実施形態について図面を参照して説明する。
【００１０】
図１は、本発明の一実施形態に係る印刷物検査装置を具備する印刷システムの概略構成図である。図１において、１０１は印刷装置、１０２は印刷装置１０１の操作部である。１０３は印刷装置１０１に接続された印刷物検査装置（以下、単に検査装置と称す）、１０４は検査装置１０３に接続された排紙装置である。
【００１１】
印刷装置１０１は、ＤＦＥ（Digital  Front  End）サーバ等の上位装置（不図）から印刷データを受け取り、必要な画像処理を実施する。そして、印刷装置１０１は、感光体ドラム１１３，１１４，１１５，１１６にそれぞれＫ（ブラック）、Ｃ（シアン），Ｍ（マゼンタ），Ｙ（イエロー）の静電潜像を形成し、更にトナー像を形成し、このトナー像を中間転写ベルト１１１上に重ねて転写する。これと並行して、印刷装置１０１は、給紙部１１８から用紙を給送し、転写ローラ１１２にて、中間転写ベルト１１１上のＹＭＣＫのトナー像を用紙に転写し、定着ローラ１１７にて定着する。片面印刷の場合、印刷装置１０１は、定着処理された印刷用紙をそのまま検査装置１０３へ搬送するが、両面印刷の場合には、印刷用紙を反転して、更に印刷用紙の反対側にも同様の処理を行った後、検査装置１０３へ搬送する。
【００１２】
検査装置１０３は、印刷装置１０１から搬送された印刷用紙（印刷物）を、読取り部１３１，１３２により読取り、検査画像データを取得する。具体的には、印刷用紙が片面印刷の場合には、読取り部１３１により印刷用紙の片面（表面）を読取り、印刷用紙が両面印刷の場合には、読取り部１３１，１３２により印刷用紙の両面（表面及び裏面）を読み取る。検査装置１０３は、取得した検査画像データにより、印刷用紙（印刷物）の文字の異常状態を検査し、異常状態に応じて、印刷装置１０１の印刷プロセスのパラメータを自動的に調整せしめる。この結果、以後、印刷装置１０１からは、文字異常が解消された良質の印刷物が出力されるようになる。これについて後述する。
【００１３】
検査装置１０３の読取り部１３１，１３２を通過した印刷用紙（印刷物）は、そのまま排紙装置１０４へ搬送される。排紙装置１０４は、検査装置１０３から搬送された印刷用紙を排紙トレイ１４１にスタックする。
【００１４】
図２は、印刷装置１０１及び検査装置１０３の処理系の一実施形態に係るブロック図である。
【００１５】
印刷装置１０１では、ＲＩＰ（Raster  Image  Processor）２０１が上位装置（不図）からPost  Script等のＰＤＬやＴＩＦＦ等の印刷データを受け取り、ＣＭＹＫのＲＩＰ画像データ（ビットマップデータ）を生成する。印刷制御部２０２は印刷装置１０１全体の動作を制御する。該印刷制御部２０２は、ＲＩＰ２０１で生成されたＣＭＹＫのＲＩＰ画像データを印刷画像処理部２０３と検査装置１０３へ送る。印刷画像処理部２０３は、印刷制御部２０２からＣＭＹＫのＲＩＰ画像データを受け取って必要な画像処理を行い、レーザ等の書込み用データ（印刷画像データ）を生成する。この印刷画像処理部２０３では、例えば、デジタルフィルタにより、文字縁を文字中より濃くして文字の鮮鋭性を高くする処理を行う。画像形成部２０４は、印刷画像処理部２０３で生成された印刷画像データに基づいて印刷プロセス（帯電・露光・現像・転写・定着）を実施して印刷用紙（印刷物）を出力する。この画像形成部２０４は、図１に示したように、一般的な電子写真方式の画像形成機構によって実現される。
【００１６】
検査装置１０３では、マスター画像生成部（マスター画像生成手段）２１１が、印刷装置１０１から送られたＣＭＹＫのＲＩＰ画像データ（印刷物の元データ）からマスター画像データを生成する。後述するように、マスター画像データは、検査画像取得部２１３の検査画像データと同一形式をとる。バッファメモリ２１２は、マスター画像生成部２１１で生成したマスター画像データを保持する。検査画像取得部（検査画像取得手段）２１３は、印刷装置１０１から出力された印刷用紙（印刷物）を読み取って検査画像データとして取得する。この検査画像取得部２１３は、図１の読取り部１３１，１３２に対応し、ＣＭＯＳセンサ等で構成される。検査制御部２１４は、バッファメモリ２１２からマスター画像データ、検査画像取得部２１３から検査画像データを入力して、検査画像データとマスター画像データの文字領域を抽出し（文字領域抽出手段）、該検査画像データとマスター画像データの文字領域の差分データを生成して、該差分データをもとに印刷物の文字の異常状態を検査し（検査手段）、該印刷物の文字の異常状態に応じて、印刷装置１０１の印刷制御部２０２や印刷画像処理部２０３に制御情報を送って、印刷プロセスのパラメータを自動的に調整するようにする（調整手段）。
【００１７】
実施形態では、検査制御部２１４は、ＣＰＵ，ＲＯＭ，ＲＡＭ等で構成されるとする。ＲＯＭは、あらかじめプログラムやテーブル、その他、必要な情報を記憶している。ＣＰＵは、ＲＯＭに記憶されたプログラムを実行し、必要に応じてテーブルや情報等を参照することで、各処理手段（文字領域抽出手段、検査手段、調整手段）の機能を実現する。ＲＡＭは、ＣＰＵで処理途中のデータ等を記憶する。なお、ＲＡＭの一部をバッファメモリ２１２として利用することでもよい。
【００１８】
図３は、検査装置１０３内のマスター画像生成部２１１の一実施形態に係るブロック図である。マスター画像生成部２１１は、少値多値変換処理部３０１、解像度変換処理部３０２及び色変換処理部３０３からなる。
【００１９】
少値多値変換処理部３０１は、印刷装置１０１の印刷制御部２０２から送られたＣＭＹＫのＲＩＰ画像データを多値化する。ＲＩＰ２０１で生成されるＣＭＹＫのＲＩＰ画像データは、一般に２値画像データである。画像形成部２０４は、このＣＭＹＫの各色２値の画像データに基づいて画像形成処理を実行する。これに対して、検査装置１０３の検査画像取得部２１３で取得される検査画像データは、ＲＧＢの各色多階調の多値画像データである。このため、少値多値変換処理部３０１にて、まず、ＣＭＹＫの各色２値のＲＩＰ画像データを多値画像データに変換する。多値画像データは、例えば、ＣＭＹＫ各８ビットで表現される。
【００２０】
解像度変換処理部３０２は、ＣＭＹＫの各多値画像データの解像度を、検査画像データの解像度に合わせるように解像度変換を行う。例えば、検査画像データが２００ｄｐｉの場合、ＣＭＹＫの各多値画像データの解像度を２００ｄｐｉに変換する。
【００２１】
色変換処理部３０３は、解像度変換処理部３０２によって解像度変換されたＣＭＹＫの各多値画像データを、検査画像データと同じＲＧＢ形式の画像データに色変換する。
【００２２】
これにより、検査画像データと同一形式のマスター画像データが生成される。例えば、マスター画像データ及び検査画像データとも、解像度が２００ｄｐｉで、各画素毎にＲＧＢ各色８ビットで表現される。画素値は、真黒が０、真白が２５５である。
【００２３】
図４は、印刷装置１０１の画像形成部（プリントエンジン）２０４の詳細ブロック図を示す。画像形成部２０４は帯電部４０１、露光部４０２、現像部４０３、転写部４０４、定着部４０５を備えて、印刷画像処理部２０３からの印刷画像データにもとづいて画像形成処理を行い、印刷用紙（印刷物）を出力する。
【００２４】
検査装置１０３の検査制御部２１４は、印刷用紙（印刷物）の文字に特化した検査を行い、印刷物の文字が異常（文字太り、文字細り等）と判断した場合、印刷装置１０１の印刷制御部２０２や印刷画像処理部２０３に制御情報を送って印刷プロセスのパラメータを調整して、印刷物の文字が正常になるように制御する。
【００２５】
以下、検査装置１０３の検査制御部２１４の動作について、いくつかの具体的実施例を詳述する。
【実施例１】
【００２６】
実施例１は、印刷物の文字の異常が文字太りの場合には、文字エッジの露光強度を文字中の露光強度より弱くし、文字細りの場合には、文字エッジの露光強度を文字中の露光強度より強くすることで、文字の太りや細りを自動調整するものである。
【００２７】
図５は、文字部の露光を説明する図である。図５において、５０１は感光体ドラム（図１の１１３〜１１６に対応）、５０２はレーザ光源等の光源である。
【００２８】
感光体ドラム５０１の外周面が一様に帯電された後、光源５０２からの光（レーザ光等）により、印刷画像データに応じて、該感光体ドラム５０１の外周面が感光されて静電潜像が形成される。ここで、文字部（網掛け部分）を文字エッジと文字中に分け、文字エッジの露光を露光１と露光３とし、文字中の露光を露光３とする。
【００２９】
図６は、本実施例における露光位置と露光強度を表わしたグラフである。図６（ａ）は印刷物の文字の太さが許容値よりも太くなった場合（文字太り）であり、この場合は文字エッジの露光強度（露光１，露光３）を文字中の露光強度（露光２）より弱くする。図６（ｂ）は印刷物の文字の太さが許容値よりも細くなった場合（文字細り）であり、この場合は文字エッジの露光強度（露光１、露光３）を文字中の露光強度（露光２）よりも強くする。これにより、文字の太さを自動的に正常状態に戻すことが可能になる。
【００３０】
図７は、本実施例の具体的処理イメージを示した図である。図７中、横軸は印刷枚数（何枚目の印刷か）を表わし、縦軸は印刷物である検査画像の文字太さを表わす。この例では、３枚目、６枚目に許容範囲を超えて太くなっているので、文字を細くする処理を行う。すなわち、文字エッジの露光強度を文字中の露光強度よりも弱くする。また、７枚目では許容範囲を超えて細くなっているので、文字を太くする処理を行う。すなわち、文字エッジの露光強度を文字中の露光強度よりも強くする。以下、同様に、検査画像の文字太さが、許容範囲を超えて太くなったら、文字を細くする処理を行い、許容範囲を超えて細くなったら、文字を太くする処理を行う。
【００３１】
図８は、検査装置１０３の検査制御部２１４における本実施例の動作を説明するフローチャートである。
【００３２】
検査制御部２１４は、バッファメモリ２１２からマスター画像データを取り込み（ステップ１００１）、検査画像取得部２１３から印刷物の検査画像データを取り込む（ステップ１００２）。先に述べたように、マスター画像データと検査画像データは同一形式の画像データである。例えば、両者とも、解像度が２００ｄｐｉで、各画素毎にＲＧＢ各色８ビットで表現される。画素値は、真黒が０、真白が２５５である。
【００３３】
検査制御部２１４は、マスター画像データから文字領域を抽出する（ステップ１００３）。図９に文字領域抽出の処理フローチャート、図１０に文字領域抽出の処理イメージを示す。図１０（ａ）はマスター画像データの元画像である。
【００３４】
文字領域抽出処理では、マスター画像データについて、まず、黒画素等の連結画素を抽出し、該連結画素を包含する矩形（連結矩形）を生成する（ステップ２００１）。図１０（ｂ）はこれを示している。次に、近接する連結矩形を包含する矩形を文字矩形として生成する（ステップ２００２）。図１０（ｃ）はこれを示している。最後に、近接する文字矩形を包含する矩形を生成し、文字領域とする（ステップ２００３）。図１０（ｄ）はこれを示している。
【００３５】
なお、文字領域抽出方法は、上述の連結画素を用いる方法に限らず、文字領域が抽出できれば、いかなる方法でもよい。
【００３６】
図８に戻り、検査制御部２１４は、次に、検査画像データから文字領域を抽出する（ステップ１００４）。具体的には、マスター画像データの文字領域を利用して、検査画像データから該マスター画像データの文字領域に対応する領域を抽出して検査画像データの文字領域とする。
【００３７】
次に、検査制御部２１４は、マスター画像データと検査画像データの文字領域の差分データ（差分画像データ）を生成する（ステップ１００５）。具体的には、マスター画像データと検査画像データの文字領域について、同じ位置の画素毎に、両者の画素値の差分（差分値）を計算して差分データ（差分画像データ）を生成する。ここで、差分値は次式で求める。
差分値  ＝  検査画像の画素値  −  マスター画像の画素値
【００３８】
次に、検査制御部２１４は、マスター画像データと検査画像データの文字領域の差分データ（差分画像データ）を基に、印刷物の文字太りの有無を検査する（ステップ１００６）。具体的には、差分データの中で、負の差分値が予め定めた負の閾値（ｔｈ１）以下の画素数を計算し、該画素数の当該差分データ全体の画素数に対する割合（文字太さ度合）αが、予め定めた閾値（ｔｈ２）以上であるか否かチェックする。そして、αがｔｈ２以上であった場合、文字太りと判断する。この場合、検査制御部２１４は、印刷画像処理部２０３に対して、文字部の文字エッジの露光強度を文字中の露光強度よりも弱くするための制御情報を送る（ステップ１００７）。この制御情報の一部として文字太さ度合αに対応した文字エッジ補正量を印刷画像処理部２０３に送る。印刷画像処理部２０３は、この補正量に応じて、フィルタ（デジタルフィルタ）のパラメータ値を変更して、印刷画像データの文字エッジの鮮鋭性が低下するようにする。これにより、露光部４０２にて、文字部の文字エッジの露光強度が文字中の露光強度より弱くなるように制御される。
【００３９】
文字太りが許容値以内の場合（α＜ｔｈ２）、検査制御部２１４は、次に、マスター画像データと検査画像データの文字領域の差分データ（差分画像データ）を基に、印刷物の文字細りの有無を検査する（ステップ１００８）。具体的には、差分データの中で、正の差分値が予め定めた正の閾値（ｔｈ３）以上の画素数を計算し、該画素数の当該差分データ全体の画素数に対する割合（文字細さ度合）βが、予め定めた閾値（ｔｈ４）以上であるか否かチェックする。そして、βがｔｈ４以上であった場合、文字細りと判断する。この場合、検査制御部２１４は、印刷画像処理部２０３に対して、文字部の文字エッジの露光強度を文字中の露光強度よりも強くするための制御情報を送る（ステップ１００９）。この制御情報の一部として、文字細さ度合βに対応した文字エッジ補正量を印刷画像処理部２０３に送る。印刷画像処理部２０３は、この補正量に応じて、フィルタのパラメータ値を変更して、印刷画像データの文字エッジの鮮鋭性が高くなるようにする。これにより、露光部４０２にて、文字部の文字エッジの露光強度が文字中の露光強度より強くなるように制御される。
【００４０】
一方、文字細りが許容値以内の場合（β＜ｔｈ４）、検査制御部２１４は、印刷物の文字は正常と判断する。なお、文字細りの有無を先に検査し、文字細りが許容値以内の場合、次に文字太りの有無を検査することでもよい。印刷物の文字が正常の場合、検査制御部２１４は何もしない。
【００４１】
以下、検査制御部２１４は、各印刷用紙（印刷物）毎に、図８の処理を繰り返すことになる。
【００４２】
図１１は、文字太さ度合αや文字細さ度合βに対応した文字エッジ補正量を、ルックアップテーブル（ＬＵＴ）を用いて取得する例を示した図である。図１１において、補正テーブル（１）１１０１、補正テーブル（２）１１０２はＬＵＴであり、これらは、あらかじめ不揮発性メモリに保持しておく。
【００４３】
検査制御部２１４は、印刷物が文字太り異常と判断した場合（α≧ｔｈ２）、補正テーブル（１）１１０１から、文字太さ度合αを用いて文字エッジ補正量Ａを読み出し、印刷画像処理部２０３に送ることで、文字部の文字エッジの露光強度を文字中の露光強度よりも弱くするように制御する。また、印刷物が文字細り異常と判断した場合（β≧ｔｈ４）には、補正テーブル（２）１１０２から、文字細さ度合βを用いて文字エッジ補正量Ｂを読み出し、印刷画像処理部２０３に送ることで、文字部の文字エッジの露光強度を文字中の露光強度よりも強くするように制御する。
【００４４】
なお、文字太さ度合αや文字細さ度合βに対応した文字エッジ補正量は、補正変換式を用いて直接算出することでもよい。
【実施例２】
【００４５】
実施例１は、印刷物が文字太り異常や文字細り異常の場合、文字エッジと文字中で露光強度に差をつけるようにしたが、実施例２は、文字太り異常の場合には、文字領域全体の露光強度を弱くし、文字細り異常の場合には、文字領域全体の露光強度を強くすることで、文字の太りや細りを自動調整するものである。
【００４６】
図１２は、検査装置１０３の検査制御部２１４における本実施例の動作を説明するフローチャートである。図１２において、ステップ１００１〜１００８の動作は、図８と同様であるので、説明を省略する。
【００４７】
検査制御部２１４は、印刷物が文字太り異常の場合（α≧ｔｈ２）、印刷画像処理部２０３に対して、文字領域の全体の露光強度を他の領域の露光強度よりも弱くするための制御情報を送る（ステップ３００１）。この制御情報に、文字太さ度合αに対応した補正量を含める。また、印刷物が文字細り異常の場合、印刷画像処理部２０３に対して、文字領域の全体の露光強度を他の領域の露光強度よりも強くするための制御情報を送る（ステップ３００２）。この制御情報に、文字細さ度合βに対応した補正量を含める。
【００４８】
印刷画像処理部２０３は、検査制御部２１４から送られた補正量に応じて、例えば、印刷画像データについて、文字部の階調を調整する。この結果、露光部４０２にて、文字部の露光強度が他の領域より弱くあるいは強くなるように制御される。
【００４９】
本実施例においても、文字太さ度合αや文字細さ度合βに対応した補正量は、ＬＵＴを用いて取得することができる。
【実施例３】
【００５０】
実施例３は、印刷物の文字の異常が文字太りの場合には、文字エッジの露光時間を文字中の露光時間よりも短くし、文字細りの場合には、文字エッジの露光時間を文字中の露光時間よりも長くすることで、文字の太りや細りを自動的に調整するものである。
【００５１】
図１３は、本実施例における露光位置と露光時間を表わしたグラフである。ここで、露光１と露光３は文字エッジの露光を示し、露光３は文字中の露光を示す（図５参照）。図１３（ａ）は、印刷物の文字の異常が文字太りの場合であり、この場合は文字エッジの露光時間（露光１，露光３）を文字中の露光時間（露光２）より短くする。図１３（ｂ）は、印刷物の異常が文字細りの場合であり、この場合は文字エッジの露光時間（露光１，露光３）を文字中の露光時間（露光２）よりも長くする。これにより、文字の太さを自動的に正常状態に戻すことが可能になる。
【００５２】
図１４は、検査装置１０３の検査制御部２１４における本実施例の動作を説明するフローチャートである。図１４において、ステップ１００１〜１００８の動作は図８と同様であるので、説明を省略する。
【００５３】
検査制御部２１４は、印刷物が文字太り異常の場合（α≧ｔｈ２）、印刷画像処理部２０３に対して、文字部の文字エッジの露光時間を文字中の露光時間よりも短くするための制御情報を送る（ステップ４００１）。この制御情報に、文字太さ度合αに対応した文字エッジ補正量を含める。また、検査制御部２１４は、印刷物が文字細り異常の場合（β≧ｔｈ４）、印刷画像処理部２０３に対して、文字部の文字エッジの露光時間を文字中の露光時間よりも短くするための制御情報を送る（ステップ４００２）。この制御情報に、文字細さ度合βに対応した文字エッジ補正量を含める。
【００５４】
印刷画像処理部２０３は、検査制御部２１４から送られた文字エッジ補正量に応じて、印刷画像データの文字エッジの長さを調整する。この結果、露光部４０２にて、印刷物の文字の異常が文字太りの場合には、文字エッジの露光時間が文字中の露光時間よりも短くなるように制御され、文字の異常が文字細りの場合には、文字エッジの露光時間が文字中の露光時間より長くなるように制御される。
【００５５】
本実施例においても、文字太さ度合αや文字細さ度合βに対応した補正量（文字エッジ補正量）は、ＬＵＴを用いて取得することができる。
【実施例４】
【００５６】
実施例３は、印刷物が文字太り異常や文字細り異常の場合、文字エッジと文字中で露光時間に差をつけたが、実施例４は、文字太り異常の場合には、文字領域全体の露光時間を他の領域の露光時間よりも短くし、文字細り異常の場合には、文字領域全体の露光時間を他の領域の露光時間よりも長くことで、文字の太りや細りを自動調整するものである。
【００５７】
図１５は、検査装置１０３の検査制御部２１４における本実施例の動作を説明するフローチャートである。図１５において、ステップ１００１〜１００８の動作は図８と同様であるので、説明を省略する。
【００５８】
検査制御部２１４は、印刷物が文字太り異常の場合（α≧ｔｈ２）、印刷画像処理部２０３に対して、文字領域の露光時間を他の領域の露光時間よりも短くするための制御情報を送る（ステップ５００１）。この制御情報に、文字太さ度合αに対応した補正量を含める。また、印刷物が文字細り異常の場合、印刷画像処理部２０３に対して、文字領域の露光時間を他の領域の露光時間よりも長くするための制御情報を送る（ステップ５００２）。この制御情報に、文字細さ度合βに対応した補正量を含める。
【００５９】
印刷画像処理部２０３は、検査制御部２１４から送られた補正量に応じて、印刷画像データの文字部の長さを調整する。この結果、露光部４０２にて、文字領域の露光時間が他の領域より短くあるいは長くなるように制御される。
【００６０】
本実施例においても、文字太さ度合αや文字細さ度合βに対応した補正量は、ＬＵＴを用いて取得することができる。
【実施例５】
【００６１】
特に小文字の場合、文字太りや文字細りが起こると、判読不可能になる。実施例５は、検査対象を印刷物中の小文字に特化し、小文字領域が文字太り異常の場合には、文字エッジの露光強度を文字中の露光強度より弱くし、文字細り異常の場合には、文字エッジの露光強度を文字中の露光強度より強くして、小文字を適正な太さに自動調整するものである。
【００６２】
図１６は、検査装置１０３の検査制御部２１４における本実施例の動作を説明するフローチャートである。
【００６３】
検査制御部２１４は、バッファメモリ２１２からマスター画像データを取り込み（ステップ６００１）、検査画像取得部２１３から印刷物の検査画像データを取り込む（ステップ６００２）。マスター画像データと検査画像データは同一形式の画像データである。例えば、両者とも、解像度が２００ｄｐｉで、各画素毎にＲＧＢ各色８ビットで表現される。画素値は、真黒が０、真白が２５５である。
【００６４】
次に、検査制御部２１４は、マスター画像データから文字領域を抽出する（ステップ６００３）。図９及び図１０で説明したように、文字領域抽出処理では、マスター画像データについて、まず、黒画素等の連結画素を抽出し、該連結画素を包含する矩形（連結矩形）を生成する。次に、近接する連結矩形を包含する矩形を文字矩形として生成する。最後に、近接する文字矩形を包含する矩形を生成し、文字領域とする。
【００６５】
次に、検査制御部２１４は、文字領域が小文字領域か否か判定する（ステップ６００４）。図１７に小文字領域判定の詳細フローチャート、図１８に小文字領域判定の処理イメージを示す。図１８（ａ）は、抽出された文字領域である。
【００６６】
検査制御部２１４は、まず、抽出された文字領域内の各文字矩形の縦方向の画素数の和sumｈを算出する（ステップ７００１）。図１８（ｂ）の例では、sumｈ＝ｈ１＋ｈ２＋ｈ３である。次に、抽出された文字領域に含まれる各文字矩形の横方向の画素数の和sumｗを算出する（ステップ７００２）。図１８（ｂ）の例では、sumｗ＝ｗ１＋ｗ２＋ｗ３である。次に、１文字当たりの文字矩形の長さ（平均文字矩形長）ave_dを計算する（ステップ７００３）。文字領域の文字数をｎ、画像の解像度をｍ（dpi）とすると、ave_d（inch）は、次式で求められる。
ave_d  ＝  ｛（sumｈ＋sumｗ）／（ｎ×２）｝／ｍ）
【００６７】
検査制御部２１４は、平均文字矩形長ave_dを閾値（小文字閾値）smoji_dより小さいか否か判定する（ステップ７００４）。そして、ave_d＜smoji_dならば、文字領域は小文字領域と判断し（ステップ７００５）、ave_d≧smoji_dならば、文字領域は小文字領域でないと判断する。
【００６８】
図１６に戻り、検査制御部２１４は、文字領域が小文字領域でなかった場合、処理を終了とし、小文字領域の場合のみ、ステップ６００５以降の処理を行う。なお、文字領域が複数存在する場合、１つでも小文字領域があれば、ステップ６００５以降の処理を行うようにする。
【００６９】
検査制御部２１４は、マスター画像データの文字領域が小文字領域の場合、次に、検査画像データから文字領域（小文字領域）を抽出する（ステップ６００５）。具体的には、マスター画像データの文字領域（小文字領域）を利用して、検査画像データから該マスター画像データの文字領域に対応する領域を抽出して検査画像データの文字領域（小文字領域）とする。
【００７０】
次に、検査制御部２１４は、マスター画像データと検査画像データの文字領域（小文字領域）の差分データ（差分画像データ）を生成する（ステップ６００６）。具体的には、マスター画像データと検査画像データの文字領域（小文字領域）について、先の実施例１と同様に、同じ位置の画素毎に、両者の画素値の差分（差分値）を計算して差分データ（差分画像データ）を生成する。ここで、差分値は次式で求める。
差分値  ＝  検査画像の画素値  −  マスター画像の画素値
【００７１】
次に、検査制御部２１４は、マスター画像データと検査画像データの文字領域（小文字領域）の差分データ（差分画像データ）を基に、印刷物の文字太りの有無を検査する（ステップ６００７）。具体的には、差分データの中で、負の差分値が予め定めた負の閾値（ｔｈ５）以下の画素数を計算し、該画素数の当該差分データ全体の画素数に対する割合（文字太さ度合）αが、予め定めた閾値（ｔｈ６）以上であるか否かチェックする。そして、αがｔｈ６以上であった場合、文字太りと判断する。この場合、検査制御部２１４は、印刷画像処理部２０３に対して、文字部（小文字）の文字エッジの露光強度を文字中の露光強度よりも弱くするための制御情報を送る（ステップ６００８）。この制御情報の一部として文字太さ度合αに対応した文字エッジ補正量を印刷画像処理部２０３に送る。印刷画像処理部２０３は、この補正量に応じて、フィルタ（デジタルフィルタ）のパラメータ値を変更して、印刷画像データの文字エッジの鮮鋭性が低下するようにする。これにより、露光部４０２にて、小文字の文字エッジの露光強度が文字中の露光強度より弱くなるように制御される。
【００７２】
文字太りが許容値以内の場合（α＜ｔｈ６）、検査制御部２１４は、次に、マスター画像データと検査画像データの文字領域（小文字領域）の差分データ（差分画像データ）を基に、印刷物の文字細りの有無を検査する（ステップ６００９）。具体的には、差分データの中で、正の差分値が予め定めた正の閾値（ｔｈ７）以上の画素数を計算し、該画素数の当該差分データ全体の画素数に対する割合（文字細さ度合）βが、予め定めた閾値（ｔｈ８）以上であるか否かチェックする。そして、βがｔｈ８以上であった場合、文字細りと判断する。この場合、検査制御部２１４は、印刷画像処理部２０３に対して、文字部（小文字）の文字エッジの露光強度を文字中の露光強度よりも強くするための制御情報を送る（ステップ６０１０）。この制御情報の一部として、文字細さ度合βに対応した文字エッジ補正量を印刷画像処理部２０３に送る。印刷画像処理部２０３は、この補正量に応じて、フィルタのパラメータ値を変更して、印刷画像データの文字エッジの鮮鋭性が高くなるようにする。これにより、露光部４０２について、小文字の文字エッジの露光強度が文字中の露光強度より強くなるように制御される。
【００７３】
一方、文字細りが許容値以内の場合（β＜ｔｈ８）、検査制御部２１４は、印刷物の文字（小文字）は正常と判断する。なお、文字細りの有無を先に検査し、文字細りが許容値以内の場合、次に文字太りの有無を検査することでもよい。印刷物の文字（小文字）が正常の場合、検査制御部２１４は何もしない。
以下、検査制御部２１４は、各印刷用紙（印刷物）毎に、図１６の処理を繰り返すことになる。
【実施例６】
【００７４】
実施例６は、検査対象を印刷物の小文字領域に特定して、文字太り異常の場合には、文字領域（小文字領域）全体の露光強度を弱くし、文字細り異常の場合には、文字領域（小文字領域）全体の露光強度を強くすることで、小文字の太りや細りを抑制するものである。
【００７５】
実施例６の動作は、対象の文字領域が小文字領域であることを除けば、先の実施例２と基本的に同様であるので、説明を省略する。
【実施例７】
【００７６】
実施例７は、検査対象を印刷物の小文字領域に特定して、文字太り異常の場合には、文字エッジの露光時間を文字中の露光時間よりも短くし、文字細り異常の場合には、文字エッジの露光時間を文字中の露光時間よりも長くすることで、小文字の太りや細りを抑制するものである。
【００７７】
実施例７の動作は、対象の文字領域が小文字領域であることを除けば、先の実施例３と基本的に同様であるので、説明を省略する。
【実施例８】
【００７８】
実施例８は、検査対象を印刷物の小文字領域に特定して、文字太り異常の場合は、文字領域（小文字領域）全体の露光時間を短くし、文字細り異常の場合には、文字領域（小文字領域）全体の露光時間を長くすることで、小文字の太りや細りを抑制するものである。
【００７９】
実施例８の動作は、対象の文字領域が小文字領域であることを除けば、先の実施例４と基本的に同様であるので、説明を省略する。
【００８０】
以上、いくつかの実施例について詳述したが、本発明は、これらの実施例に限定されるものではない。実施例１〜８では、検査装置１０３の検査制御部２１４が印刷装置１０１の印刷画像処理部２０３に制御情報（補正量等）を送り、印刷画像処理部２０３で所定の画像処理を行うことで、露光部４０２において、自動的に露光強度や露光時間が制御されるようにしたが、検査制御部２１４から露光部４０２へ制御情報を送り、露光部４０２の側で露光強度や露光時間を制御することでもよい。
【００８１】
また、検査装置１０３の検査制御部２１４は、印刷装置１０１の印刷制御部２０２へ制御情報を送り、印刷制御部２０２が現像部４０３の動作を制御することで、文字太りや文字細りを調整することでもよい。例えば、現像部４０３における地肌ポテンシャルを制御するとか（文字が太い場合は地肌ポテンシャルを大きくし、文字が細い場合は地肌ポテンシャルを小さくする）、現像部４０３における線速比を制御するとか（文字が太い場合は線速比を大きくし、文字が細い場合には線速比を小さくする）、現像部４０３におけるトナー汲み上げ量を制御するとか（文字が太い場合は汲み上げ量を小さくし、文字か細い場合は汲み上げ量を大きくする）、等を行う。
【００８２】
また、マスター画像データと検査画像データの文字領域の差分データの生成では、特にカラー画像を考慮していなかったが、カラー画像を考慮した場合、例えば、次のようにして差分データを生成すればよい。第１の方法は、検査画像データのＧ成分とマスター画像データのＧ成分について差分を計算することで、差分データを生成する。第２の方法は、検査画像データとマスター画像データのＧＲＢ画像をそれぞれＬ＊ａ＊ｂ変換し、Ｌ＊成分（輝度成分）について差分を計算することで、差分データを生成する。
【符号の説明】
【００８３】
１０１  印刷装置
１０３  検査装置（印刷物検査装置）
２０１  ＲＩＰ
２０２  印刷制御部
２０３  印刷画像処理部
２０４  画像形成部（プリントエンジン）
２１１  マスター画像生成部
２１２  バッファメモリ
２１３  検査画像取得部
２１４  検査制御部
４０１  帯電部
４０２  露光部
４０３  現像部
４０４  転写部
４０５  定着部
【先行技術文献】
【特許文献】
【００８４】
【特許文献１】特開２０１２−１０８８５４号公報
【図１】
2015052886.tif 000003
【図２】
2015052886.tif 000004
【図３】
2015052886.tif 000005
【図４】
2015052886.tif 000006
【図５】
2015052886.tif 000007
【図６】
2015052886.tif 000008
【図７】
2015052886.tif 000009
【図８】
2015052886.tif 000010
【図９】
2015052886.tif 000011
【図１０】
2015052886.tif 000012
【図１１】
2015052886.tif 000013
【図１２】
2015052886.tif 000014
【図１３】
2015052886.tif 000015
【図１４】
2015052886.tif 000016
【図１５】
2015052886.tif 000017
【図１６】
2015052886.tif 000018
【図１７】
2015052886.tif 000019
【図１８】
2015052886.tif 000020